(57)【要約】  【課題】送信側の通信装置から複数の受信側の通信装置に映像信号のデータ伝送を行い、複数の受信側の通信装置の同期を取ることが可能で、受信側の各通信装置で、映像表示等のデータ処理を同時に行うことが可能な伝送装置等を提供する。  【解決手段】伝送装置１００を、１台の画像送信装置１と、複数台の画像表示装置２とで構成する。画像送信装置１および画像表示装置２を、それぞれアンテナ部３ａ，３ｂ、切替えスイッチ部４ａ，４ｂ、ＲＦ部１０ａ，１０ｂ、ＢＢ部２０ａ，２０ｂ、ＭＡＣ部３０ａ，３０ｂ、ホストＩ／Ｆ４０ａ，４０ｂ、同期処理部５０ａ，５０ｂ、映像処理部６０ａ，６０ｂで構成する。画像送信装置１で垂直同期信号Ｖｓｙｎｃに基づいて、ビーコン信号を生成する。複数の画像表示装置２で、このビーコン信号に基づいて垂直同期信号Ｖｓｙｎｃ等の同期信号を生成し、この同期信号に基づいて映像を表示する。【選択図】図１
2015023297.tif 000002
【特許請求の範囲】
【請求項１】
送信側の通信装置と受信側の通信装置との間で、無線通信を使用して通信データの伝送を行う伝送装置であって、
前記送信側の通信装置は、映像信号の垂直同期信号に基づいて、前記受信側の通信装置が前記映像信号を表示する際のタイミングを付与する基準信号を生成する基準信号生成部を備え、前記通信データとして、前記基準信号生成部で生成した前記基準信号を、前記映像信号とともに複数の前記受信側の通信装置に送信するように構成され、
前記受信側の通信装置は、前記送信側の通信装置から受信した前記基準信号に基づいて、前記垂直同期信号を含む前記映像信号の同期信号を生成する同期信号生成部を備え、前記同期信号生成部により生成された前記同期信号に基づいて、前記映像信号を表示するように構成されたことを特徴とする伝送装置。
【請求項２】
前記送信側の通信装置は、前記垂直同期信号の周期と同じ周期で前記同期処理信号を生成することを特徴とする請求項１に記載の伝送装置。
【請求項３】
前記基準信号が、ビーコン信号であることを特徴とする請求項１または２に記載の伝送装置。
【請求項４】
前記基準信号生成部は、ＭＡＣ（Media Access Control）であり、前記ＭＡＣは、前記基準信号を、前記垂直同期信号の周期と同じ周期で、前記映像信号に優先して送信することを特徴とする請求項１〜３のいずれか一項に記載の伝送装置。
【請求項５】
前記同期信号生成部は、前記基準信号と、予め設定された垂直同期信号との差分値を検出し、前記差分値に基づいて、前記垂直同期信号を制御し、前記基準信号と同期させることを特徴とする請求項１〜４のいずれか一項に記載の伝送装置。
【請求項６】
送信側の通信装置と受信側の通信装置との間で、無線通信を使用して通信データの伝送を行う伝送方法であって、
前記送信側の通信装置により、映像信号の垂直同期信号に基づいて、前記受信側の通信装置が前記映像信号を表示する際のタイミングを付与する基準信号を生成するステップと、
前記基準信号を生成するステップで生成した前記基準信号と前記映像信号とを、前記通信データとして複数の前記受信側の通信装置に送信するステップと、
前記受信側の通信装置により、前記送信側の通信装置から受信した前記基準信号に基づいて、前記垂直同期信号を含む前記映像信号の同期信号を生成するステップと、
前記同期信号を生成するステップにより生成された前記同期信号に基づいて、前記映像信号を表示するステップと、を有することを特徴とする伝送方法。
【発明の詳細な説明】
【技術分野】
【０００１】
本発明は、送信側の通信装置と受信側の通信装置との間で、動画像データ等のデータを伝送する伝送装置、および、伝送方法に関する。
【背景技術】
【０００２】
従来、パソコン等の送信側の通信装置から、動画像データ等を受信側の通信装置であるディスプレイや画像投影装置（プロジェクタ等）に送信して再生する技術が開発されている。また、近年では、無線ＬＡＮ（Local Area Network）の普及により、通信装置間のデータ伝送を、ケーブルを用いることなく、ＩＥＥＥ８０２．１１等の無線通信規格による無線ネットワークを介して行うことが主流になっている。
【０００３】
このような無線ネットワークを利用したデータ伝送において、送信側の通信装置（以下、「送信機」という）と受信側の通信装置（以下、「受信機」という）との間で映像データの伝送を行う際に、当該通信装置間での同期をとるための処理が行われている。この同期処理として、送信機では、通信データ中にタイミングデータを付加すること（例えば、特許文献１参照）や、バッファなどの記録部にデータをバッファリングすることにより、受信機の同期信号に合わせて映像処理を行い、表示を行う技術が開発され、既に知られている。
【０００４】
例えば、特許文献１では、送信機が通信クロックに基づいて、第１の垂直同期信号を生成する。この第１の垂直同期信号に従って、フレームデータを作成し、動画像データを作成する。また、送信機は、この動画像データに対して、動画像データの作成を開始したタイミングを示すタイミングデータを付加し、当該画像データとともに通信データとして送信する。受信機は、このタイミングデータおよび通信クロックに基づいて第２の垂直同期信号を生成し、この第２の垂直同期信号に従って、送信機から送信された動画像データのフレームデータを順次表示する。これにより、送信機と受信機との同期を図り、動画像データ再生時の遅延等の解消を図っている。
【発明の概要】
【発明が解決しようとする課題】
【０００５】
しかしながら、特許文献１等に記載の従来の通信装置では、映像信号を再生するための同期信号は受信機側で個別に生成しており、１台の送信機と１台の受信機との同期を図ることの開示はあるが、１台の送信機と複数台の受信機との同期を図ることに関しては何ら開示がない。また、送信機と受信機とが１対１の場合であれば、特許文献１に記載の従来技術や、通信データをバッファリングする従来技術等により、受信機側の同期信号に応じて映像再生処理を行うので、映像の同期信号に着目する必要はない。しかし、１台の送信機から複数台の受信機に通信データを送信し、この複数台の受信機で同時に同じ映像を再生したい場合や、１枚の映像を分割して複数台の受信機に送信を行い、同時に同一映像を表示する場合には、受信機同士の同期が取れている必要がある。従来技術は、この受信機同士の同期信号がシンクロ（同期）するような対応を行っていないため、映像再生時に表示される映像の時間が合わず、複数の受信機で同じ映像を同じ時間に表示することができない。
【０００６】
本発明は、上記の事情に鑑みて為されたもので、送信側の通信装置から複数の受信側の通信装置に通信データを伝送する場合に、複数の受信側の通信装置の同期を取ることが可能となる同期信号を生成して、受信側の各通信装置で、映像表示等のデータ処理を同時に行うことが可能な伝送装置を提供することを目的とする。
【課題を解決するための手段】
【０００７】
上記の目的を達成するため、本願に係る伝送装置は、送信側の通信装置と受信側の通信装置との間で、無線通信を使用して通信データの伝送を行う伝送装置であって、送信側の通信装置は、映像信号の垂直同期信号に基づいて、受信側の通信装置が映像信号を表示する際のタイミングを付与する基準信号を生成する基準信号生成部を備え、通信データとして、基準信号生成部で生成した基準信号を、映像信号とともに複数の受信側の通信装置に送信するように構成され、受信側の通信装置は、送信側の通信装置から受信した基準信号に基づいて、垂直同期信号を含む映像信号の同期信号を生成する同期信号生成部を備え、同期信号生成部により生成された同期信号に基づいて、映像信号を表示するように構成されたことを特徴とする。
【発明の効果】
【０００８】
本発明によれば、送信側の通信装置から複数の受信側の通信装置に通信データを伝送する場合に、複数の受信側の通信装置の同期を取ることが可能となる同期信号を生成して、受信側の各通信装置で、映像表示等のデータ処理を同時に行うことが可能な伝送装置を提供することができる。
【図面の簡単な説明】
【０００９】
【図１】本願の実施例１に係る伝送装置の構成例を示すブロック図である。
【図２】図１に示すＭＡＣ部の構成例を示すブロック図である。
【図３】図１に示す同期信号生成部の構成例を示すブロック図である。
【図４】映像信号の垂直同期信号Ｖｓｙｎｃとビーコン信号との関係を説明するための説明図であり、（ａ）は送信側である画像送信装置での各信号の関係を示し、（ｂ）は受信側である画像表示装置での各信号の関係を示す。
【図５】画像表示装置において、ビーコン信号と垂直同期信号Ｖｓｙｎｃとの差分値を検出している状態を説明するための説明図である。
【図６】画像送信装置からの送信データと画像表示装置での受信データとの通信フローを示す概略図である。
【図７】実施例１のデータ伝送装置で実施されるデータ伝送処理の動作例を示すフローチャートである。
【発明を実施するための形態】
【実施例１】
【００１０】
以下、本願に係る伝送装置の一実施例について、図面を参照して説明する。図１は、送信側の通信装置（画像送信装置１）と受信側の通信装置（画像表示装置２）とからなる伝送装置の構成例を示すブロック図である。図２は、画像送信装置１および画像表示装置２のＭＡＣ部３０ａ，３０ｂの構成例を示すブロック図である。図３は、画像送信装置１および画像表示装置２の同期信号生成部５０ａ，５０ｂの構成例を示すブロック図である。
【００１１】
（伝送装置の構成）
図１に示すように、実施例１の伝送装置（伝送システム）１００は、１台の送信側の通信装置としての画像送信装置１と、複数台の受信側の通信装置としての画像表示装置２とを備えて構成される。なお、図１には、説明の便宜上、１台の画像表示装置２のみ表示している。実施例１では、無線通信により、画像送信装置１と複数の画像表示装置２とで、動画や静止画等の画像データ（映像データ）を送受信し、各画像表示装置２で画像データを表示するよう構成されている。実施例１の無線通信における無線通信規格として、例えば、ＩＥＥＥ(Institute of Electrical and Electronics Engineers)８０２．１１等が代表例として挙げられる。
【００１２】
画像送信装置１として、例えば、パーソナルコンピュータを用いることができ、画像表示装置２として、複数台のテレビ画面、複数台のパーソナルコンピュータにそれぞれ接続されたモニタ等を用いることができる。また、画像送信装置１として、ビデオカメラやデジタルカメラ等の撮像装置を用い、画像表示装置２として、複数台のモニタやテレビ画面等を用いてもよい。または、画像送信装置１として、パーソナルコンピュータ等を用い、画像表示装置２として、画像をスクリーン等に投影するプロジェクタ等の投影装置を用いてもよい。また、伝送装置が、画像を表示する装置に限定されることはなく、通信手段を介して、１台の送信側の通信装置から、複数の受信側の通信装置にデータを伝送するものであれば、何れのものを用いてもよい。
【００１３】
図１に示すように、画像送信装置１は、アンテナ部３ａ、切替えスイッチ部４ａ、ＲＦ（Radio Frequency）部１０ａ、ＢＢ（Based_Band）部２０ａ、ＭＡＣ（Media Access Control）部３０ａ、ホストＩ／Ｆ４０ａ、同期処理部５０ａ、および、映像処理部６０ａを備えて構成される。
【００１４】
画像送信装置１は、無線通信により、アンテナ部３ａを介して、複数台の画像表示装置２と画像データ（映像データ）等のデータ伝送を行う。切替えスイッチ部４ａは、送信と受信とを切替えるスイッチ（ＳＷ）機能を有する。
【００１５】
ホストＩ／Ｆ４０ａは、制御部であるマイクロコンピュータとのインタフェースである。この制御部は、ＣＰＵ（Central Processing Unit）としてのマイクロプロセッサ、ＲＯＭ（Read Only Memory）、ＲＡＭ（Random Access Memory）、および、ＨＤＤ（Hard Disk Drive）等の記録装置を備えている。ＣＰＵは、ＲＯＭに予め記憶されているプログラムに従って、ＲＡＭをワークメモリとして用いて、画像送信装置１全体の動作を制御し、各種機能を実現する。記録装置または、ＲＡＭ上には、画像送信装置１が画像表示装置２に送信して、画像表示装置２のモニタ等に表示する画像データが記憶されている。
【００１６】
同期処理部５０ａは、図３に示すように、比較器５１ａと、ＰＬＬ部５２ａと、同期信号生成部５３ａと、を備えて構成される。また、同期処理部５０ａでは、映像を表示するモニタの画面サイズ等の各種データが、設定値としてメモリ等の設定部（記憶部）５４ａに予め記憶されている。この画像送信装置１における同期処理部５０ａでは、設定部５４ａの設定値に基づいて、映像信号の映像処理用の垂直同期信号Ｖｓｙｎｃ、水平同期信号Ｈｓｙｎｃ、ピクセルクロック（Pixel clock）等を生成し、映像処理部６０ａに出力する。
【００１７】
映像処理部６０ａは、メモリ（記憶部）に記憶された画像データ（映像データ）を読み出し、または、アナログＲＢＧ等の入力Ｉ／Ｆ（図示せず）を介して入力される画像データ（映像データ、映像入力信号）に対して、所定の映像処理を施して、符号データ（送信符号データ）を生成する。この映像処理は、映像処理部６０ａは、同期処理部５０ａからの垂直同期信号Ｖｓｙｎｃ、水平同期信号Ｈｓｙｎｃ、ピクセルクロック（Pixel clock）等に基づいて行われる。符号データ（送信符号データ）は、ＭＡＣ部３０ａに出力され、ＭＡＣ部３０ａによりデータパケット（データフレーム）化され、ＢＢ部２０ａ、ＲＦ部１０ａによって所定の処理が施された後に、アンテナ部３ａを介して電波として送信される。
【００１８】
ＭＡＣ部３０ａは、データパケット等に付加されるヘッダ情報に基づき、通信プロトコルに関する処理を行う。また、ＭＡＣ部３０ａは、映像処理部６０ａから供給される映像同期信号である垂直同期信号Ｖｓｙｎｃに基づいて、基準信号であるビーコン（Beacon）信号を生成する基準信号生成部としても機能する。従来の通信装置では、ＭＡＣ部によりビーコン信号の間隔（以下、「ビーコン間隔」という）が設定されている。これに対して、本願に係る実施例１の伝送装置１００では、垂直同期信号Ｖｓｙｎｃの間隔（周期）に対応するビーコン間隔（周期）でビーコン信号を生成する。このビーコン信号を基準信号（以下、「同期処理信号」と呼ぶことがある）として、複数の受信側の通信装置（画像表示装置２）間の同期を取ることを可能とするものである。なお、基準信号生成部として、ＭＡＣ部３０ａを用いることで、ビーコン信号を、画像データ（映像データ）等に優先して送信することができる。また、他の通信装置の干渉を低減させることにより、無線による映像信号の伝送中のデータパケットの喪失等を低減させることができる。
【００１９】
図２に、無線ＬＡＮ（ＷＬＡＮ）等で使用されるＭＡＣ部３０ａの構成例のブロック図を示す。図２に示すように、ＭＡＣ部３０ａは、管理フレーム生成部（Management Frame Generator）３１ａ、制御フレーム生成部（Control Frame Generator）３２ａ、伝送スケジューラ部（Transmit Scheduler）３３ａ、キュー制御部（Queue Manager）３４ａ等を備えて構成される。
【００２０】
無線ＬＡＮではデータの送受信等には、ＭＡＣフレームが用いられる。ＭＡＣフレームの種類としては、管理フレーム（Management Frame）、制御フレーム（Control Frame）、データフレーム（Data Frame、「データパケット」ともいう）の３つが挙げられる。管理フレームは、ビーコン信号の送信等に用いられる。管理フレームは、制御コードとしてのＡｃｋ（Acknowledgement）等の送信に用いられる。データフレームは、画像データ（映像データ）等の送信に用いられる。
【００２１】
この図２に示すＭＡＣ部３０ａでは、映像処理部６０ａから入力された垂直同期信号Ｖｓｙｎｃが、管理フレーム生成部３１ａ、制御フレーム生成部（３２ａにそれぞれ入力される。そして、この管理フレーム生成部３１ａでの管理フレームの生成と制御フレーム生成部３２ａでの制御フレーム生成との間隔、すなわち、制御フレームの送信開始から管理フレームの送信終了までの間隔（周期）をビーコン間隔として、ビーコン信号を生成する。そして、このビーコン信号の通信波として、Ｔｘ  Ｆｌａｍｅデータを生成する。ＭＡＣ部３０ａで生成されたビーコン信号のＴｘ  Ｆｌａｍｅデータは、ＢＢ部２０ａと、ＲＦ部１０ａとで処理された後、電波としてアンテナ部３ａから出力される。
【００２２】
画像送信装置１におけるＢＢ部２０ａは、ＭＡＣ部３０ａで生成されたビーコン信号の管理フレームや、映像処理部６０ａから出力された画像データ（映像データ）のデータフレームの信号を復調してベースバンド信号（以下、「ＢＢ信号」という）を生成する。このＢＢ信号は、ＲＦ部１０ａに入力される。ＲＦ部１０ａは、電圧制御発振器（ＶＣＯ；Voltage Controlled Oscillator）１１ａ、ＰＬＬ（Phase Locked Loop）部（位相同期回路）１２ａ、アナログ・デジタル（Ａ／Ｄ）変換回路１３ａ、増幅器１４ａ、ミキサ１５ａ、および、ＬＰＦ（Low Pass Filter）部１６ａ等を備えて構成される。このような構成のＲＦ部１０ａで、入力されたＢＢ信号に対して所定の信号処理を施し、無線通信用の周波数に変換した後、アンテナ部３ａから電波として出力する。
【００２３】
次に、画像表示装置２の構成について説明する。画像表示装置２は、画像送信装置１と同様の基本構成を有している。そのため、画像送信装置１と同様の部については、同じ符号を付するとともに、末尾に「ａ」に代えて「ｂ」を付して説明および図面の表示を行う。以下では、画像送信装置１と異なる機能について主に説明する。
【００２４】
図１に示すように、画像表示装置２は、アンテナ部３ｂ、切替えスイッチ部４ｂ、ＲＦ(Radio Frequency)部１０ｂ、ＢＢ（Baced_Band）部２０ｂ、ＭＡＣ（Media Access Control）部３０ｂ、ホストＩ／Ｆ４０ｂ、同期処理部５０ｂ、および、映像処理部６０ｂを備えて構成される。
【００２５】
ホストＩ／Ｆ４０ｂを介して画像表示装置２を制御する制御部（マイクロコンピュータ）は、ＣＰＵ（Central Processing Unit）、ＲＯＭ（Read Only Memory）、ＲＡＭ（Random Access Memory）、ＨＤＤ（Hard Disk Drive）等の記録装置を備えている。ＣＰＵは、ＲＯＭに予め記憶されているプログラムに従って、ＲＡＭをワークメモリとして用いて、画像表示装置２全体の動作を制御し、各種機能を実現する。
【００２６】
画像送信装置１から送信される電波は、アンテナ部３ｂを介してＲＦ部１０ｂに入力される。ＲＦ部１０ｂは、電圧制御発振器（ＶＣＯ；Voltage Controlled Oscillator）１１ｂ、ＰＬＬ（Phase Locked Loop）部（位相同期回路）１２ｂ、アナログ・デジタル（Ａ／Ｄ）変換回路１３ｂ、増幅器１４ｂ、ミキサ１５ｂ、および、ＬＰＦ（Low Pass Filter）部１６ｂ等を備えて構成される。ＲＦ部１０ｂは、アンテナ部３ｂから入力された受信データ信号に対して所定の信号処理を施し、ＢＢ部２０ｂに向けてＢＢ信号を出力する。ＢＢ部２０ｂは、ＲＦ部１０ｂから供給されたＢＢ信号を復調してデジタルデータを生成する。ＢＢ部２０ｂで生成された映像信号のデジタルデータは、ＭＡＣ部３０ｂに出力される。ビーコン信号のデジタルデータの入力は、ＲＦ部１０ｂ、ＢＢ部２０ｂによって検知することができる。このように検知されたビーコン信号は、ＢＢ部２０ｂから同期処理部５０ｂに出力される。
【００２７】
ＭＡＣ部３０ａは、図２に示すように、管理フレーム生成部（Management Frame Generator）３１ｂ、制御フレーム生成部（Control Frame Generator）３２ｂ、伝送スケジューラ部（Transmit Scheduler）３３ｂ、キュー制御部（Queue Manager）３４ｂ等を備えて構成される。画像表示装置２におけるＭＡＣ部３０ｂは、ＢＢ部２０ｂから供給された映像信号のデジタルデータに対して所定の処理を施し、符号データ（受信符号データ）として映像処理部６０ｂに出力する。
【００２８】
画像表示装置２における同期処理部５０ｂでは、ＢＢ部２０ｂから供給された同期処理信号としてのビーコン信号に基づいて、位相同期処理やタイミング生成処理を行い、映像信号の同期信号を生成する同期信号生成部として機能する。同期処理部５０ｂは、図３に示すように、比較器５１ｂと、ＰＬＬ部５２ｂと、同期信号生成部５３ｂと、を備えて構成される。また、同期処理部５０ｂでは、映像を表示するモニタの画面サイズ等の各種データが、設定値としてメモリ等の設定部（記憶部）５４ｂに予め記憶されている。
【００２９】
比較器５１ｂは、ＢＢ部２０ｂから入力される同期処理信号（ビーコン信号）と、同期信号生成部５３ｂで生成した同期信号Ｖｓｙｎｃ等との位相差を検出し、その差分値を出力する。ＰＬＬ部５２ｂは、比較器５１ｂで検出した差分値に基づいて、同期信号Ｖｓｙｎｃ等にフィードバック制御を加えて、同期処理信号（ビーコン信号）と同期させる。同期信号生成部５３ｂは、画面サイズ等、設定部５４ｂに予め記憶されている設定値に基づいて、映像処理用の垂直同期信号Ｖｓｙｎｃ、水平同期信号Ｈｓｙｎｃを生成し、比較器５１ｂに出力する。また、ＰＬＬ部５２ｂでフィードバック制御され、同期処理信号と同期化された垂直同期信号Ｖｓｙｎｃ、水平同期信号Ｈｓｙｎｃを映像処理部６０ｂに対して出力する。
【００３０】
より詳細に説明すると、前述したように、同期処理信号（ビーコン信号）は、送信側である画像送信装置１により、垂直同期信号Ｖｓｙｎｃに基づいて、当該垂直同期信号Ｖｓｙｎｃの間隔（周期）で生成される。そのため、受信側の画像表示装置２でも、同等のビーコン間隔（周期）で、同期処理信号（ビーコン信号）が入力される。また、処理する画面サイズが予めわかっていれば垂直同期信号Ｖｓｙｎｃ、水平同期信号Ｈｓｙｎｃ等の処理クロック数等が設定できる。
【００３１】
比較器５１ｂが、この設定された垂直同期信号Ｖｓｙｎｃと同期処理信号（ビーコン信号）とを比較し、差分値を検出している一例を図５に示す。この比較器５１ｂで検知した差分値を使用して、ＰＬＬ部５２ｂの周波数をコントロールすることで、映像処理用の垂直同期信号Ｖｓｙｎｃ、水平同期信号Ｈｓｙｎｃ、ピクセルクロック等を、ＰＬＬ部５２ｂによって生成することができる。垂直同期信号Ｖｓｙｎｃ、水平同期信号Ｈｓｙｎｃは、同期信号生成部５３ｂに入力され、この同期信号生成部５３ｂから映像処理部６０ｂに出力される。また、ピクセルクロックは、ＰＬＬ部５２ｂから映像処理部６０ｂに出力される。
【００３２】
映像処理部６０ｂでは、ＭＡＣ部３０ｂから供給された映像信号としての受信符号データに対して所定の映像処理を施す。また、この処理後の受信符号データ（映像出力信号）を用いて、例えば、映像出力回路（図示せず）が、アナログＲＢＧ、デジタルＲＢＧ／ＨＤＭＩ(登録商標)等の出力Ｉ／Ｆ（図示せず）を介して映像をモニタやプロジェクタ等の表示装置（図示せず）に表示する。この表示が、同期処理部５０ｂにより生成された垂直同期信号Ｖｓｙｎｃ、水平同期信号Ｈｓｙｎｃ、およびピクセルクロックに従って行われることで、他の画像表示装置２との同期を取ることができる。
【００３３】
ここで、画像送信装置１における映像信号の同期信号とビーコン信号との関係を図４（ａ）に示し、画像表示装置２における映像信号の同期信号とビーコン信号との関係を図４（ｂ）に示す。図４（ａ）、（ｂ）に示す「Ｖｓｙｎｃ」は映像信号の垂直同期信号であり、「Ｈｓｙｎｃ」は水平同期信号である。無線通信においては、画像データ（映像データ）が複数のデータパケット（データフレーム）に分割されて送受信される。図中の「Ｂｅａｃｏｎ」は、他の通信装置との時間管理等を行うビーコン信号が含まれる制御フレームであり、「データパケット」は、画像データ（映像データ）が含まれるデータフレームである。また、「ＡＣＫ」は、ＡＣＫフレーム（Acknowledgment frame）であり、通信がエラーなく到達したことを示す制御フレームである。ＡＣＫフレームは、データフレームの送信後、ＳＩＦＳ（short interframe space）時間を待った後に送信される。
【００３４】
以上説明したように、実施例１の伝送装置１００では、画像送信装置１が、映像信号の垂直同期信号Ｖｓｙｎｃに基づいて、受信側の画像表示装置２が同期信号を生成するタイミングを付与するためのビーコン信号を生成している。無線通信により通信データを受信した複数の画像表示装置２では、このビーコン信号に基づいて、タイミングジェネレータとしての垂直同期信号Ｖｓｙｎｃと水平同期信号Ｈｓｙｎｃとを生成する。この垂直同期信号Ｖｓｙｎｃと水平同期信号Ｈｓｙｎｃ、および、これらに基づいて得られるピクセルクロックに従って、各画像表示装置２にて、モニタ等に映像が表示される。したがって、複数の画像表示装置２で、各種処理タイミングの同期を取ることができ、同じ映像を同時に表示することができる。
【００３５】
（データ伝送方法）
以下、実施例１の伝送装置１００を用いた、伝送方法の処理手順について、図７のフローチャートを参照して説明する。画像送信装置１で、同期処理部５０ａにより、各種画面サイズ等に基づいて、同期信号である垂直同期信号Ｖｓｙｎｃ、水平同期信号Ｈｓｙｎｃ、ピクセルクロック等が生成される（ステップＳ１）。これらの同期信号は、映像処理部６０ａに出力される。映像処理部６０ａでは、この同期信号に基づいて、画像表示装置２に送信して映像表示を行うための画像データ（映像データ）に所定の映像処理を施して、送信用の映像信号を生成する（ステップＳ２）。この映像信号（送信符号データ）と、垂直同期信号Ｖｓｙｎｃとは、ＭＡＣ部３０ａに出力される。
【００３６】
ＭＡＣ部３０ａでは、映像処理部６０ａから供給された垂直同期信号Ｖｓｙｎｃに基づいて、前述したように、同期処理信号としてのビーコン信号を生成し、このビーコン信号を含む管理フレームを生成する。また、ＭＡＣ部３０ａでは、映像処理部６０ａから供給された映像信号（送信符号データ）に基づいて、データフレーム（データパケット）を生成するとともに、データフレーム（データパケット）ごとに制御フレームを生成する。ＭＡＣ部３０ａでは、生成した各フレームをＢＢ部２０ａに出力する（以上、ステップＳ３）。ＭＡＣ部３０ａで生成された各映像信号は、ＢＢ部２０ａ、ＲＦ部１０ａによって処理が施され、アンテナ部３ａを介して電波として複数の画像表示装置２に向けて送信される（ステップＳ４）。
【００３７】
画像送信装置１から送信された映像信号の電波は、アンテナ部３ｂを介して複数の画像表示装置２により受信される（ステップＳ５）。各画像表示装置２では、受信された映像信号が、ＲＦ部１０ｂによりＢＢ信号に変換され、このＢＢ信号がＢＢ部２０ｂにより復調されてデジタルデータが生成される。また、ＲＦ部１０ｂ、ＢＢ部２０ｂにより、同期処理信号（ビーコン信号）が検出されると、この同期処理信号（ビーコン信号）がＢＢ部２０ｂから同期処理部５０ｂに出力される（ステップＳ６）。また、画像データ（映像データ）からなるデータフレームは、ＭＡＣ部３０ｂに出力され、このＭＡＣ部３０ｂで所定の処理が施された後、符号データ（受信符号データ）として映像処理部６０ｂに出力される。
【００３８】
次に、同期処理部５０ｂでは、ＢＢ部２０ｂから供給された同期処理信号（ビーコン信号）に基づいて、同期信号（受信側同期信号）を生成する（ステップＳ７）。この処理は、図４（ｂ）、図５を用いて前述したように、同期処理信号（ビーコン信号）と、同期信号生成部５３ｂが生成した垂直同期信号Ｖｓｙｎｃとに基づいて、比較器５１ｂにより差分値が検出される。この差分値に基づいて、ＰＬＬ部５２ｂの周波数をコントロールすることで、映像処理用の垂直同期信号Ｖｓｙｎｃ、水平同期信号Ｈｓｙｎｃ、ピクセルクロック等を生成することができる。これら垂直同期信号Ｖｓｙｎｃ、水平同期信号Ｈｓｙｎｃ、ピクセルクロックは、同期処理部５０ｂから映像処理部６０ｂに出力される。
【００３９】
映像処理部６０ｂでは、ＭＡＣ部３０ｂから供給された画像データ（映像データ）の受信符号データに、所定の映像処理を施す。この映像処理を施した画像データ（映像データ）を、同期処理部５０ｂから入力された垂直同期信号Ｖｓｙｎｃ等の同期信号に従って、モニタ等に表示する（ステップＳ８）。以上のステップＳ５〜Ｓ８の処理が、複数の画像表示装置２で実施されることにより、画像表示装置２間での映像表示等のタイミングの同期を取ることができる。そのため、複数の画像表示装置２で同じ映像を同時に表示することができる。
【００４０】
なお、図６に、送信データと受信データとの通信フローを示す。この図６に示すように、画像送信装置１では、入力された映像データ（図６の処理映像データ）を垂直同期信号Ｖｓｙｎｃごとに、分けて処理を行っていく。このように、ビーコン信号のビーコン間隔（周期）内に、１フレーム分の映像データを転送することができる。そのため、仮に、あるビーコン間隔でデータ伝送にエラーが生じても、次のデータ伝送までに、エラーを生じた受信データ等を破棄することにより、容易に伝送エラーに対する対処が可能となる。なお、図６に示すフローでは、垂直同期信号Ｖｓｙｎｃごとに、各種処理を行っているが、本願がこれに限定されることはなく、図４に示すように、同一の垂直同期信号Ｖｓｙｎｃ間で、複数のデータパケットの伝送を行うことも可能である。
【００４１】
以上、実施例１では、送信側の通信装置である画像送信装置１が、垂直同期信号Ｖｓｙｎｃに基づいて、同期処理信号としてビーコン信号を生成し、受信側の通信装置としての複数の画像表示装置２に向けて出力する。各画像表示装置２では、このビーコン信号に基づいて、垂直同期信号Ｖｓｙｎｃ等の同期信号を生成し、この同期信号に従って、映像を表示する。これにより、複数の画像表示装置２での同期を取ることができ、同じ映像を同時に表示することができる。
【００４２】
また、上記実施例１では、送信側の通信装置である画像送信装置１からの同期処理信号を用いて、受信側の通信装置である画像表示装置２が、垂直同期信号Ｖｓｙｎｃ、水平同期信号Ｈｓｙｎｃ、ピクセルクロックを生成している。しかし、本願が実施例１に限定されることはない。例えば、画面サイズが予め決まっていることから、垂直同期信号Ｖｓｙｎｃ、水平同期信号Ｈｓｙｎｃ、ピクセルクロックを個別に生成し、その後、同期処理信号に基づいて、垂直同期信号Ｖｓｙｎｃ、水平同期信号Ｈｓｙｎｃの生成タイミングに用いてもよい。これにより、映像信号の欠落時にも同期信号が欠落するのを抑制することができる。
【００４３】
また、実施例１では、同期処理信号（基準信号）として、ビーコン信号を一例として挙げたが、本願で用いる同期処理信号が、ビーコン信号に限定されることはなく、別途、共通信号を用意し、同期処理信号（基準信号）として使用することも可能である。この共通信号を用いた具体例としては、例えば、データパケット中に任意のコードを意図的に挿入すること、ＲＳＴ／ＣＴＳを使用したＮＡＶ期間による同期等が挙げられる。送信側の通信装置が、垂直同期信号Ｖｓｙｎｃに基づいて、このような共通信号を生成し、同期処理信号（基準信号）として複数の受信側の通信装置に向けて出力する。受信側の各通信装置は、この共通信号に基づいて、垂直同期信号Ｖｓｙｎｃ等の同期信号を生成し、この同期信号に従って、映像を表示する。これにより、受信側の各通信装置での同期が取れ、同じ映像を同時に表示することができる。このような共通信号やビーコン信号を用いることで、特定の受信側の通信装置がデータパケットを受信しない場合にでも、初期状態より同期を取る必要がなくなり、映像の再表示までの時間が短縮できる。すなわち、再表示に関しては、規定時間内、例えば、１６ｍｓ（６０ｆｐｓ）以内に受信フレームが次フレーム分の符号データ量を受信できない場合には、表示画像を用意できないため、前フレームを表示し続ける。なお、ここでは、受信フレームとしたが、符号データの展開が規定時間内に処理が終了しない場合なども同様である。
【００４４】
以上、本発明の実施例を図面により詳述してきたが、上記各実施例は本発明の例示にしか過ぎないものであり、本発明は上記各実施例の構成にのみ限定されるものではない。本発明の要旨を逸脱しない範囲の設計の変更等があっても、本発明に含まれることは勿論である。
【符号の説明】
【００４５】
１  画像送信装置（送信側の通信装置）    ２  画像表示装置（受信側の通信装置）
３０ａ，３０ｂ  ＭＡＣ部（基準信号生成部）
５０ａ，５０ｂ  同期処理部（同期信号生成部）
６０ａ，６０ｂ  映像処理部    １００  伝送装置
【先行技術文献】
【特許文献】
【００４６】
【特許文献１】国際出願公開第２０１０／１３４４８２号パンフレット
【図１】
2015023297.tif 000003
【図２】
2015023297.tif 000004
【図３】
2015023297.tif 000005
【図４】
2015023297.tif 000006
【図５】
2015023297.tif 000007
【図６】
2015023297.tif 000008
【図７】
2015023297.tif 000009